(57)【要約】  一実施の形態においては、本発明に基づく放送方法及び放送装置は、所定の領域内の機器を検出し、機器によって捕捉された画像を検出し、所定の領域に基づいて、画像のサブジェクトを判定し、画像のサブジェクトを記述する信号を機器に放送する。
2007527663.tif 000002
【特許請求の範囲】
【請求項１】
所定の領域内で機器を検出するステップと、
上記機器によって捕捉された画像を検出するステップと、
上記所定の領域に基づいて、画像のサブジェクトを判定するステップと、
上記画像のサブジェクトを記述する信号を上記機器に放送するステップとを有する放送方法。
【請求項２】
上記画像を捕捉する際の上記機器の向きを検出するステップを更に有する請求項１記載の放送方法。
【請求項３】
上記信号は、上記機器の向きに基づいていることを特徴とする請求項２記載の放送方法。
【請求項４】
上記信号をストレージモジュール内に保存するステップを更に有する請求項１記載の放送方法。
【請求項５】
上記信号は、上記画像のサブジェクトに対応するメタデータ情報を含むことを特徴とする請求項１記載の放送方法。
【請求項６】
上記メタデータ情報は、上記サブジェクトの背景情報を含むことを特徴とする請求項５記載の放送方法。
【請求項７】
上記メタデータ情報は、上記サブジェクトを記述するキーワードを含むことを特徴とする請求項５記載の放送方法。
【請求項８】
上記メタデータ情報は、上記サブジェクトに関連する広告を含むことを特徴とする請求項５記載の放送方法。
【請求項９】
上記機器は、カメラであることを特徴とする請求項１記載の放送方法。
【請求項１０】
上記機器は、画像捕捉モジュールを備える携帯電話機であることを特徴とする請求項１記載の放送方法。
【請求項１１】
上記機器は、ビデオカメラであることを特徴とする請求項１記載の放送方法。
【請求項１２】
上記信号は、一意的識別子を含むことを特徴とする請求項１記載の放送方法。
【請求項１３】
上記一意的識別子と、上記サブジェクトを記述するメタデータ情報とを照合するステップを更に有する請求項１２記載の放送方法。
【請求項１４】
上記一意的識別子は、ＵＲＬであることを特徴とする請求項１２記載の放送方法。
【請求項１５】
所定の領域内で機器を検出する機器検出手段と、
上記機器によって捕捉された画像を検出する画像検出手段と、
上記所定の領域に基づいて、画像のサブジェクトを判定する判定手段と、
上記画像のサブジェクトを記述する信号を上記機器に放送する放送手段とを備える放送装置。
【請求項１６】
所定の領域内で機器を検出するステップと、
上記画像を捕捉する際の上記機器の向きを検出するステップと、
上記所定の領域及び上記画像を捕捉する際の上記機器の向きに基づいて、画像のサブジェクトを判定するステップと、
上記画像のサブジェクトに基づいて、上記機器に一意的識別子を放送するステップとを有する放送方法。
【請求項１７】
上記一意的識別子は、ＵＲＬアドレスであることを特徴とする請求項１６記載の放送方法。
【請求項１８】
上記一意的識別子は、文字列であることを特徴とする請求項１６記載の放送方法。
【請求項１９】
上記一意的識別子と、上記画像の上記サブジェクトを記述するメタデータ情報とを照合するステップを更に有する請求項１６記載の放送方法。
【請求項２０】
上記機器に上記メタデータ情報を放送するステップを更に有する請求項１９記載の放送方法。
【請求項２１】
上記一意的識別子の照合の前に、上記機器に支払いを要求するステップを更に有する請求項１９記載の放送方法。
【請求項２２】
上記メタデータ情報を上記画像に統合するステップを更に有する請求項１９記載の放送方法。
【請求項２３】
上記メタデータ情報は、広告を含むことを特徴とする請求項１９記載の放送方法。
【請求項２４】
上記メタデータ情報は、上記画像のサブジェクトを記述するキーワードを含むことを特徴とする請求項１９記載の放送方法。
【請求項２５】
所定の領域内で画像を捕捉する機器を検出するステップと、
基準画像を検索するステップと、
上記捕捉された画像と、上記基準画像とを比較するステップと、
上記基準画像と、捕捉された画像との比較に基づいて、該捕捉された画像のサブジェクトを判定するステップと、
上記画像のサブジェクトに基づいて、上記機器に情報を放送するステップとを有する放送方法。
【請求項２６】
上記情報は、上記サブジェクトに対応するメタデータを含むことを特徴とする請求項２５記載の放送方法。
【請求項２７】
上記情報は、上記サブジェクトに対応する一意的識別子を含むことを特徴とする請求項２５記載の放送方法。
【請求項２８】
上記所定の領域に基づいて、上記基準画像を選択するステップを更に有する請求項２５記載の放送方法。
【請求項２９】
機器を検出する認識モジュールと、
画像を捕捉する際の上記機器の位置を検出する位置検出モジュールと、
上記機器の位置に基づいて、上記捕捉された画像のサブジェクトを判定するサブジェクト判定モジュールと、
上記捕捉された画像のサブジェクトに関連する情報を保存するストレージモジュールとを備える放送装置。
【請求項３０】
上記情報は、捕捉された画像のサブジェクトを記述するメタデータ情報であることを特徴とする請求項２９記載の放送装置。
【請求項３１】
上記情報は、ＵＲＬアドレスによって特定されることを特徴とする請求項２９記載の放送装置。
【請求項３２】
上記機器に情報を送信するインタフェースモジュールを更に備える請求項２９記載の放送装置。
【請求項３３】
実行されると、放送方法を実現するコンピュータにより実行可能な命令を有するコンピュータにより読取可能な媒体において、該放送方法は、
所定の領域内で機器を検出するステップと、
上記画像を捕捉する際の上記機器の向きを検出するステップと、
上記所定の領域及び上記画像を捕捉する際の上記機器の向きに基づいて、画像のサブジェクトを判定するステップと、
上記画像のサブジェクトに基づいて、上記機器に一意的識別子を放送するステップとを有するコンピュータにより読取可能な媒体。
【発明の詳細な説明】
【技術分野】
【０００１】
本発明は、情報の放送に関し、特に情報を機器に放送する技術に関する。
【背景技術】
【０００２】
ユーザによって使用される画像捕捉用の携帯型電子機器が普及している。これらの画像捕捉機器としては、画像捕捉モジュールを備える携帯電話機、デジタルカメラ、ビデオカメラ等がある。これらの画像捕捉機器は、通常、ユーザが携帯し、ユーザは、いつでも画像を捕捉することができる。
【０００３】
これらの画像捕捉機器は、ユーザが旅行中に興味を持った地点の画像を捕捉するために用いられることが多い。例えば、金門橋やホワイトハウス等の名所が捕捉される。電子式の画像捕捉機器の特性により、ユーザは、複数のサブジェクトについて、多くの画像を捕捉することができる。
【０００４】
画像捕捉機器は、多くの場合、画像の内容と全く関係がない任意のファイル名を画像に割り当てる。ユーザが画像のサブジェクトに基づいて、各画像に注釈を付すことを望む場合、ユーザは、通常、各画像のサブジェクトについて説明する記述的なファイル名及び幾つかの記述的なキーワードを入力する必要がある。記述的情報を入力する作業は、通常、画像を捕捉してからかなりの時間が経過した後に行われ、ユーザにとって煩わしい作業である。捕捉された画像の数が多く、画像の内容が様々である場合、各画像に記述的情報を効果的に付与するための詳細をユーザが覚えていられないこともある。
【発明の開示】
【課題を解決するための手段】
【０００５】
一実施の形態においては、本発明に基づく放送方法及び放送装置は、所定の領域内で機器を検出し、機器によって捕捉された画像を検出し、所定の領域に基づいて、画像のサブジェクトを判定し、画像のサブジェクトを記述する信号を機器に放送する。
【発明を実施するための最良の形態】
【０００６】
以下、添付の図面を参照して、機器に情報を放送するための方法及び装置を詳細に説明する。なお、以下の詳細な説明は、機器に情報を放送するための方法及び装置を限定するものではない。機器に情報を放送するための方法及び装置の範囲は、添付の特許請求の範囲及び等価物によって定義される。本発明について、他の多くの実施の形態が可能であることは当業者にとって明らかである。
【０００７】
「電子機器」及び「機器」という用語は、例えば、ビデオカメラ、スチルカメラ、携帯電話機、携帯情報端末、画像捕捉機器等の機器を含む。
【０００８】
図１は、機器に情報を放送するための方法及び装置が使用される環境を示している。この環境は、電子機器１１０（例えば、コンピュータ、携帯情報端末、デジタルカメラ、ビデオカメラ等のクライアント機器として動作するように構成された演算プラットフォーム）と、ユーザインタフェース１１５と、ネットワーク１２０（例えば、ローカルエリアネットワーク、ホームネットワーク、インターネット）と、サーバ１３０（例えば、サーバとして機能するのを構成された演算プラットフォーム）とを含む。
【０００９】
一実施の形態においては、１つ以上のユーザインタフェース１１５のコンポーネントは、電子機器１１０に統合される（例えば、キーパッド、ビデオディスプレイ及び入出力インタフェースが携帯情報端末（例えば、ソニー株式会社のクリエ（Clie：商標）と同じ筐体内に設けられる）。他の実施の形態では、１つ以上のユーザインタフェース１１５（例えば、キーボード、ポインティングデバイス（マウス、トラックボール等）、マイクロホン、スピーカ、ディスプレイ、カメラ）が、電子機器１１０から物理的に独立して、電子機器１１０に周知の手法で接続されていてもよい。一実施の形態においては、ユーザは、ユーザインタフェース１１５を用いて、電子機器１１０、サーバ１３０又は、ネットワーク１２０を介して接続されたリモートストレージ機器（図示せず）に保存されているコンテンツ及びアプリケーションにアクセスし、これらを制御する。
【００１０】
以下に説明する、本発明に基づく実施の形態では、機器に情報を放送するための処理は、電子機器１１０又はサーバ１３０の電子プロセッサにより、又は、電子機器１１０の電子プロセッサ及びサーバ１３０の電子プロセッサが協働して実行される。図１では、サーバ１３０を単一の演算プラットフォームとして示しているが、他の実施の形態として、サーバとして機能する２つ以上の相互接続された演算プラットフォームとしてサーバ１３０を実現してもよい。
【００１１】
以下では、捕捉された画像のサブジェクトに基づいて、情報が機器に放送される例示的な実施の形態のコンテキストにおいて、機器に情報を放送する方法及び装置の具体例を説明する。一実施の形態においては、捕捉された画像のサブジェクトは、画像を記録する機器の位置に基づいている。一実施の形態においては、サブジェクトを記述する情報は、ネットワーク１２０を介して電子機器１１０に送信される。
【００１２】
一実施の形態においては、情報を機器に放送する方法及び装置は、捕捉された画像のサブジェクトに関する記録を利用する。一実施の形態においては、この記録は、例えば、サブジェクトの位置、サブジェクトの背景情報、関連するサブジェクト、及びサブジェクトを記述するキーワード等、捕捉された画像のサブジェクトに関連する詳細を含む。
【００１３】
図２は、機器に情報を放送するための方法及び装置を実現する例示的なアーキテクチャを示している。例示的なアーキテクチャは、複数の電子機器１１０と、サーバ１３０と、電子機器１１０をサーバ１３０に接続し、及び各電子機器１１０を相互に接続するネットワーク１２０とを備える。複数の電子機器１１０は、それぞれ、例えば、電子プロセッサ２０８に接続されたランダムアクセスメモリ等のコンピュータにより読取可能なメモリ２０９を備える。電子プロセッサ２０８は、コンピュータにより読取可能なメモリ２０９に保存されているプログラム命令を実行する。一実施の形態においては、１人のユーザが、図１を参照して説明したように、ユーザインタフェース１１５を介して各電子機器（以下、クライアント装置ともいう）１１０を操作する。
【００１４】
サーバ１３０は、コンピュータにより読取可能なメモリ２１２に接続されたプロセッサ２１１を備える。一実施の形態においては、サーバ１３０は、例えば、これに限定されるものではないが、データベース２４０等の二次的なデータ記憶要素を始めとする１つ以上の更なる外部の又は内部の機器に接続されている。
【００１５】
一具体例では、電子プロセッサ２０８、２１１として、米国カリフォルニア州サンタクララのインテル社（Intel Corporation）のプロセッサを用いる。他のマイクロプロセッサを用いてもよい。
【００１６】
一実施の形態においては、複数のクライアント装置１１０及びサーバ１３０は、機器に情報を送信するためにカスタマイズされたアプリケーションに指示を与える。一実施の形態においては、複数のコンピュータにより読取可能な媒体であるメモリ２０９、２１２が、その一部として、カスタマイズされたアプリケーションを含む。更に、複数のクライアント装置１１０及びサーバ１３０は、カスタマイズされたアプリケーションで使用する電子メッセージを受信及び送信するように構成されている。同様にネットワーク１２０は、カスタマイズされたアプリケーションで使用する電子メッセージを送信するように構成されている。
【００１７】
メモリ２０９、メモリ２１２には、１つ以上のユーザアプリケーションが格納されており、又は、単一のユーザアプリケーションの部分が、メモリ２０９及びメモリ２１２にそれぞれ格納されている。一具体例においては、格納されているユーザアプリケーションは、格納場所にかかわらず、後述する実施の形態によって説明される機器への情報の放送に基づいて、カスタマイズすることができる。
【００１８】
図３は、装置３００の一実施の形態を示している。一実施の形態においては、装置３００は、サーバ１３０内に配設される。他の実施形態として、装置３００は、電子機器１１０内に配設してもよい。更に他の実施の形態として、装置３００は、電子機器１１０及びサーバ１３０の両方において実現してもよい。
【００１９】
一実施の形態においては、装置３００は、認識モジュール３１０と、位置検出モジュール３２０と、ストレージモジュール３３０と、インタフェースモジュール３４０と、制御モジュール３５０と、放送モジュール３６０と、サブジェクト判定モジュール３７０とを備える。
【００２０】
一実施の形態においては、制御モジュール３５０は、認識モジュール３１０、位置検出モジュール３２０、ストレージモジュール３３０、インタフェースモジュール３４０、放送モジュール３６０及びサブジェクト判定モジュール３７０と通信する。
【００２１】
一実施の形態においては、制御モジュール３５０は、認識モジュール３１０、位置検出モジュール３２０、ストレージモジュール３３０、インタフェースモジュール３４０、放送モジュール３６０及びサブジェクト判定モジュール３７０の間で、タスク、要求及び通信を調整する。
【００２２】
一実施の形態においては、認識モジュール３１０は、検出された機器のタイプを判定する。例えば、異なるの機器タイプとしては、カメラを有する携帯電話機、デジタルスチルカメラ、ビデオカメラ等がある。
【００２３】
一実施の形態においては、認識モジュール３１０は、機器が送信する信号のタイプを検出することによって、機器のタイプを検出する。他の実施の形態においては、認識モジュール３１０は、機器に信号を送信し、機器から応答を受信することによって、機器のタイプを検出する。
【００２４】
一実施の形態においては、位置検出モジュール３２０は、機器が画像を捕捉する際の機器の位置を検出する。一実施の形態においては、位置検出モジュール３２０は、機器が予め定義された領域内にあるかを検出する。予め定義された領域とは、例えば、博物館内の絵画等の展示品の展示領域を含む。他の具体例として、予め定義された領域は、ワシントン記念塔の眺望地点を含む。
【００２５】
一実施の形態においては、位置検出モジュール３２０は、機器が画像を捕捉する際に機器が向いている方向を検出する。例えば、位置検出モジュール３２０は、機器が特定のオブジェクトに向いていることを検出する。一具体例においては、位置検出モジュール３２０は、機器が画像を捕捉する際、機器がホワイトハウスに向いていることを検出する。
【００２６】
一実施の形態においては、位置検出モジュール３２０は、機器の位置を検出するための複数のセンサを備える。他の実施の形態においては、位置検出モジュール３２０は、機器の位置を検出するためにセルラネットワークを利用する。更に他の実施の形態では、位置検出モジュール３２０は、全地球航行測位衛星装置を用いて、機器の位置を検出する。
【００２７】
一実施の形態においては、サブジェクト判定モジュール３７０は、画像を捕捉する際の機器の位置に基づいて、捕捉された画像のサブジェクトを判定する。例えば、画像を捕捉する際の機器の位置が特定の所定の領域内で特定され、及び機器が向いている特定の方向が検出されると、サブジェクト判定モジュール３７０は、特定の所定の領域及び機器の向きに基づいて、捕捉された画像のサブジェクトを判定する。
【００２８】
他の実施の形態においては、サブジェクト判定モジュール３７０は、捕捉された画像と基準画像との照合に基づいて、捕捉された画像のサブジェクトを判定する。この実施の形態では、基準画像は、ストレージモジュール３３０内に保存され、特定のサブジェクトの例示的な画像を表す。例えば、金門橋の例示的な基準画像は、有名な眺望地点からの金門橋の画像を含む。
【００２９】
一実施の形態においては、ストレージモジュール３３０は、画像を捕捉する際の機器の位置に基づいて、機器に放送される、特定のサブジェクトに関するメタデータを含む記録を保存する。他の実施の形態においては、ストレージモジュール３３０は、特定のサブジェクトを表すメタデータに代えて、一意的識別子を保存する。更に他の実施の形態では、記録内に基準画像がメタデータと共に保存される。
【００３０】
一実施の形態においては、インタフェースモジュール３４０は、電子機器１１０の１つから信号を受信する。例えば、一具体例として、電子機器は、機器のタイプを特定する信号を送信する。他の実施の形態においては、インタフェースモジュール３４０は、メタデータを含む信号を機器に送信する。更に他の実施の形態では、インタフェースモジュール３４０は、機器が捕捉した特定の画像に関連する記録内に含まれている情報を表示する。
【００３１】
一実施の形態においては、放送モジュール３６０は、機器に放送する記録の１つとして、メタデータを準備する。他の実施の形態においては、放送モジュール３６０は、機器に放送する一意的識別子を準備する。
【００３２】
図３の装置３００は、例示的な目的で示しており、機器に情報を放送するための方法及び装置の一実施の形態に過ぎない。機器に情報を放送するための方法及び装置の範囲から逸脱することなく、装置３００に様々なモジュールを追加することができる。同様に、機器に情報を放送するための方法及び装置の範囲から逸脱することなく、ここに示すモジュールを統合又は省略することもできる。
【００３３】
図４は、装置３００において用いられる記録４００の具体例を示している。記録４００は、特定の位置で捕捉された、あるサブジェクトの画像に関連している。一実施の形態においては、記録４００は、機器にローカルに放送されるメタデータを含む。特定のプロファイルを含む、放送されたメタデータの異なる部分は、記録４００によって記述される。一実施の形態においては、記録４００は、位置フィールド４１０、サブジェクトフィールド４２０、サブジェクトの背景フィールド４３０、広告フィールド４４０、関連サブジェクトフィールド４５０及びキーワードフィールド４６０を含む。
【００３４】
一実施の形態においては、位置フィールド４１０は、画像が捕捉された特定の位置を記述する位置情報を示す。例えば、一具体例では、記録４００内の位置フィールド４１０は、「カリフォルニア州サンフランシスコ」、「ワシントンＤＣ」、「ニューヨーク州ニューヨーク」等のリストを含む。
【００３５】
一実施の形態においては、サブジェクトフィールド４２０は、捕捉された画像のサブジェクトを記述するサブジェクト情報を示す。例えば、記録４００内のサブジェクトフィールド４２０は、カリフォルニア州サンフランシスコに関連付けられた「金門橋」、ワシントンＤＣに関連付けられた「ホワイトハウス」、ニューヨーク州ニューヨークに関連付けられた「エンパイアステートビルディング」等のリストを含む。
【００３６】
一実施の形態においては、背景フィールド４３０は、捕捉された画像の特定の内容を記述する背景情報を示す。例えば、記録４００内の背景フィールド４３０は、例えば、金門橋、ホワイトハウス、エンパイアステートビルディング等の項目に関する歴史的背景の記述を含む。
【００３７】
一実施の形態においては、広告フィールド４４０は、記録４００の一部として、記録４００内の他の情報と共に機器に供給される広告を示す。例えば、記録４００内の広告フィールド４４０は、商品及び／又はサービスに関する文字広告を含む。他の具体例では、記録４００内の広告フィールド４４０は、商品及び／又はサービスを広告するためのグラフィック情報を含む。
【００３８】
一実施の形態においては、関連サブジェクトフィールド４５０は、サブジェクトフィールド４２０内のサブジェクトに関連したサブジェクトを示す。例えば、記録４００内のサブジェクトフィールド４２０は、「金門橋」等のリストを含む。一実施の形態においては、関連サブジェクトフィールド４５０は、金門橋に関連するサブジェクトとして、「フィッシャーマンズワーフ」等のリストを含む。
【００３９】
一実施の形態においては、キーワードフィールド４６０は、捕捉された画像の特定の内容を記述するキーワード情報を示す。例えば、一例として、記録４００内のサブジェクトフィールド４２０が例えば「金門橋」等のリストを含む場合、キーワードフィールド４６０内のキーワードは、「サンフランシスコ」、「橋」、「水」及び「交通」等を含む。
【００４０】
他の実施の形態においては、記録４００は、特定のサブジェクトの例示的な画像を示す基準画像を含む。一実施の形態においては、サブジェクト判定モジュール３７０は、この基準画像を用いて、基準画像と捕捉された画像とを比べることによって捕捉された画像のサブジェクトを特定する。
【００４１】
情報を機器に放送するための方法及び装置の一実施の形態のフローチャートを図５及び図６に示す。フローチャート内のブロックは、情報を機器に放送するための方法及び装置の範囲から逸脱することなく、異なる順序で実行することもできる。更に、情報を機器に放送するための方法及び装置の範囲から逸脱することなく、ブロックを削除し、追加し、結合することもできる。
【００４２】
図５に示すフローチャートは、本発明の一実施の形態に基づく機器にメタデータをローカルに放送する処理を示している。ブロック５１０では、電子機器を検出する。一実施の形態においては、電子機器は、デジタルカメラ、ビデオカメラ、画像捕捉モジュールを有する個人用デジタル機器等である。
【００４３】
一実施の形態においては、電子機器は、ネットワークに接続されたセンサによって検出される。例えば、一実施の形態においては、センサは、セルラネットワークに接続されたセルラサイトであってもよい。他の実施の形態においては、センサは、ローカルのブルートゥースネットワークに接続されたブルートゥース送信機であってもよい。更に他の実施の形態として、センサは、Ｗｉ−Ｆｉネットワークに接続されたＷｉ−Ｆｉ送信機であってもよい。
【００４４】
一実施の形態においては、電子機器は、例えば、ホワイトハウスの眺望地点等の所定の領域で検出される。一実施の形態では、この所定の領域は、特定のアプリケーションに応じて、カスタマイズできる。例えば、金門橋を眺望できる所定の領域は、電子機器を検出するセンサを構成することによって予め定めることができる。
【００４５】
ブロック５２０では、電子機器の機器タイプを検出する。一実施の形態においては、機器の異なるタイプには、画像捕捉モジュールを有する携帯電話機、スチルカメラ、ビデオカメラ等がある。
【００４６】
ブロック５３０は、画像を捕捉する際の機器の位置を監視する。一実施の形態においては、センサは、所定の領域内にある機器を監視することによって、画像を捕捉する際の機器の位置を検出する。例えば、所定の領域内に機器がある間に機器が画像を捕捉したことが検出される。
【００４７】
一実施の形態においては、機器が画像を捕捉する際の機器の位置を監視する。例えば、機器が画像を捕捉する際の機器の向きを検出してもよい。一実施の形態においては、機器の向きを分及び秒で表現する。
【００４８】
ブロック５４０では、画像のサブジェクトを判定する。一実施の形態においては、画像のサブジェクトは、機器が画像を捕捉する際に検出された所定の領域に基づいて判定される。また、他の実施の形態においては、画像のサブジェクトは、画像を捕捉する際の機器の向きに基づいて判定される。
【００４９】
例えば、機器がホワイトハウスの画像を捕捉できる所定の領域内に位置しているとする。この具体例では、画像を捕捉する前に、この所定の領域内で機器が検出される。一実施の形態においては、画像を捕捉する際のこの所定の領域内で機器が検出される。一実施の形態においては、画像を捕捉する際に機器が位置している所定の領域に基づいて、サブジェクトにホワイトハウスが含まれることが検出される。他の実施の形態においては、画像を捕捉する際に機器が位置している所定の領域及び機器の向きに基づいて、サブジェクトにホワイトハウスが含まれることが検出される。
【００５０】
ブロック５５０では、画像を捕捉する際の機器の位置に基づいて、メタデータ情報が機器に放送される。一実施の形態においては、メタデータ情報は、例えば、Ｗｉ−Ｆｉネットワーク、ブルートゥースネットワーク、セルラネットワーク等のネットワークを介してローカルに放送される。
【００５１】
一実施の形態においては、メタデータ情報は、記録４００内のフィールドを含む。一実施の形態においては、記録４００は、機器に関連付けられ、機器によって捕捉された画像を記述する。
【００５２】
例えば、一実施の形態では、機器は、金門橋の写真を撮影するための眺望地点である所定の領域内で検出される。ここでは、画像を捕捉する際の機器の向きも記録される。この実施の形態では、画像を捕捉する際の、機器が存在する所定の領域及び機器の向きに基づいて、サブジェクトが金門橋であると判定される。更に、金門橋に対応するメタデータ情報が機器に放送される。
【００５３】
一実施の形態においては、メタデータ情報は、記述的な名称によって画像にラベルを付し、画像の内容に関する背景情報を提供する。他の実施の形態においては、メタデータ情報は、サブジェクトに関する関心及びサブジェクトの地理的位置に基づく広告の機会を提供し、及び関連するサブジェクトの画像を捕捉するための機会を提供する。また、他の実施の形態では、メタデータ情報は、キーワードに基づいて画像を分類する。
【００５４】
一実施の形態においては、捕捉された画像に対応するメタデータ情報は、有料サービスによって放送される。例えば、メタデータ情報は、サードパーティによって放送される。一実施の形態においては、メタデータ情報の放送は、その使用毎に課金される。他の実施の形態として、対応するメタデータ情報の放送を月額制にしてもよい。
【００５５】
本発明の一実施の形態に基づく機器にローカルに情報を放送する処理のフローチャートを図６に示す。まず、ブロック６１０において、電子機器を検出する。一実施の形態においては、電子機器は、デジタルカメラ、ビデオカメラ、画像捕捉モジュールを有する個人用デジタル機器等である。
【００５６】
一実施の形態においては、電子機器は、ネットワークに接続されたセンサによって検出される。例えば、一実施の形態においては、センサは、セルラネットワークに接続されたセルラサイトであってもよい。他の実施の形態においては、センサは、ローカルのブルートゥースネットワークに接続されたブルートゥース送信機であってもよい。更に他の実施の形態として、センサは、Ｗｉ−Ｆｉネットワークに接続されたＷｉ−Ｆｉ送信機であってもよい。
【００５７】
一実施の形態においては、電子機器は、例えば、ホワイトハウスの眺望地点等の所定の領域で検出される。一実施の形態では、この所定の領域は、特定のアプリケーションに応じて、カスタマイズできる。例えば、金門橋を眺望できる所定の領域は、電子機器を検出するセンサを構成することによって予め定めることができる。
【００５８】
ブロック６２０では、電子機器の機器タイプを検出する。一実施の形態においては、機器の異なるタイプには、画像捕捉モジュールを有する携帯電話機、スチルカメラ、ビデオカメラ等がある。
【００５９】
ブロック６３０は、画像を捕捉する際の機器の位置を監視する。一実施の形態においては、センサは、所定の領域内にある機器を監視することによって、画像を捕捉する際の機器の位置を検出する。例えば、所定の領域内に機器がある間に機器が画像を捕捉したことが検出される。
【００６０】
一実施の形態においては、機器が画像を捕捉する際の機器の位置を監視する。例えば、機器が画像を捕捉する際の機器の向きを検出してもよい。一実施の形態においては、機器の向きを分及び秒で表現する。
【００６１】
ブロック６４０では、画像のサブジェクトを判定する。一実施の形態においては、画像のサブジェクトは、機器が画像を捕捉する際に検出された所定の領域に基づいて判定される。また、他の実施の形態においては、画像のサブジェクトは、画像を捕捉する際の機器の向きに基づいて判定される。
【００６２】
ブロック６５０では、画像のサブジェクトに基づいて、一意的識別子を機器に放送する。一実施の形態においては、一意的識別子は、例えば、Ｗｉ−Ｆｉネットワーク、ブルートゥースネットワーク、セルラネットワーク等のネットワークを介してローカルに放送される。一実施の形態においては、一意的識別子は、捕捉された画像に関連するメタデータ情報に対応している。
【００６３】
一実施の形態においては、一意的識別子は、例えば、捕捉された画像の内容を記述するメタデータ情報を含む記録４００等の特定の記録に対応する参照番号である。他の実施の形態においては、一意的識別子は、捕捉された画像の内容を記述するメタデータ情報を含むワールドワイドウェブに関する一意的なアドレスに対応するＵＲＬである。
【００６４】
ブロック６６０では、一意的識別子と、捕捉された画像の内容を記述する対応するメタデータ情報とを照合する。一実施の形態においては、対応するメタデータ情報は、特定のＵＲＬアドレスによって表され、ワールドワイドウェブを介してアクセスできる場所に保存されている。他の実施の形態においては、対応するメタデータ情報は、インタフェースモジュール３４０を介して、参照番号を用いてアクセスされるストレージモジュール３３０内に保存される。
【００６５】
一実施の形態においては、一意的識別子と対応するメタデータ情報との照合は、有料サービスによって行われる。例えば、一意的識別子は、サードパーティによって対応するメタデータ情報に照合される。一実施の形態においては、一意的識別子と、メタデータ情報の照合は、一回の照合毎に課金される。他の実施の形態として、一意的識別子とメタデータ情報との照合のサービスを月額制にしてもよい。
【００６６】
ブロック６７０では、捕捉された画像の内容を記述するメタデータ情報を、捕捉された画像に統合する。一実施の形態においては、捕捉された画像に対応するメタデータ情報は、捕捉された画像と共に保存される。
【００６７】
本発明の特定の実施形態に関する以上の説明は、本発明を例示的に示すためのものである。この他の様々なアプリケーションに本発明を適用できる。
【００６８】
本発明は、上述した本発明に限定することを目的とせず、したがって当該技術分野の当業者が本発明の主旨を逸脱しない範囲で様々な修正、変更等を行うことが可能であることは明らかである。上述した実施例は、本発明の主旨及びその現実の応用例を説明するために選択されたものであり、当該技術分野の当業者が特定の用途に適応するように様々な修正、変更等を行うことによって本発明を最大限に利用することができる。発明の適用範囲は、特許請求の範囲によって定義される。
【図面の簡単な説明】
【００６９】
【図１】機器に情報を放送するための方法及び装置が使用される環境を示す図である。
【図２】機器に情報を放送するための一実施の形態の簡略化されたブロック図である。
【図３】機器に情報を放送するための方法及び装置の一実施の形態を示す装置の簡略化されたブロック図である。
【図４】機器に情報を放送するための方法及び装置において使用される記録の具体例を示す図である。
【図５】機器に情報を放送するための方法及び装置の一実施の形態に対応するフローチャートである。
【図６】機器に情報を放送するための方法及び装置の一実施の形態に対応するフローチャートである。
【図１】
2007527663.tif 000003
【図２】
2007527663.tif 000004
【図３】
2007527663.tif 000005
【図４】
2007527663.tif 000006
【図５】
2007527663.tif 000007
【図６】
2007527663.tif 000008
【国際調査報告】
2007527663.tif 000009
2007527663.tif 000010